(57)【要約】【課題】カードのコストを高くすることなく、情報記録部の精度の向上を図り、カードの品質を高める。【解決手段】光が透過可能な透明又は半透明のカード基材２１と、カード基材２１上の所定位置に設けられ、光の透過率が前記カード基材より低い所定のパターンから構成された機械読み取り可能な情報記録部２２とを備えるカード２０Ａにおいて、カード２０Ａは、試料を検査するためのものであり、カード基材２１上の中央部に光が透過不能な不透明の領域として設けられ、試料を検査するための検査領域２３と、検査領域２３上に設けられ、試料を一定位置に載置しておくための試料載置部としての血液溜め部２４とを備え、情報記録部２２は、そのパターンにより検査情報を示す。【選択図】図７
2006040306.tif 000002
【特許請求の範囲】
【請求項１】
光が透過可能な透明又は半透明のカード基材と、
前記カード基材上の所定位置に設けられ、光の透過率が前記カード基材より低い所定のパターンから構成された機械読み取り可能な情報記録部と
を備えるカードにおいて、
前記カードは、試料を検査するためのものであり、前記カード基材上の中央部に光が透過不能な不透明の領域として設けられ、試料を検査するための検査領域と、前記検査領域上に設けられ、試料を一定位置に載置しておくための試料載置部とを備え、
前記情報記録部は、そのパターンにより検査情報を示すこと
を特徴とするカード。
【請求項２】
請求項１に記載の検査カードにおいて、
前記試料載置部内には、検査のための試薬が設けられていること
を特徴とするカード。
【発明の詳細な説明】
【技術分野】
【０００１】
この発明は、カード基材に所定のパターンを機械読み取り可能に設けたカードに関するものである。
【背景技術】
【０００２】
図１０は、従来のこの種のカードの一例を示す平面図である。また、図１１は、図１０のＡ−Ａ断面を示す断面図である。カード１０のカード基材１１は、一般のキャッシュカード等に用いられている乳白色のＰＶＣ（ポリ塩化ビニル）若しくはＰＥＴ（ポリエチレンテレフタレート）等の樹脂、又は紙材から形成した板状体である。カード基材１１の材料としては、光が透過不能なもの（不透明のもの）を用いる必要がある。
【０００３】
カード基材１１の１辺近傍には、属性情報記録部１２が設けられている。属性情報記録部１２は、カード基材１１の所定位置に複数の穴１２ａを形成したものである（例えば、特許文献１）。この穴１２ａは、例えばパンチによって抜くことによりカード基材１１に形成される。この穴１２ａの位置及び数により、そのカード１０の属性を表すようになる。したがって、属性情報記録部１２の穴１２ａの位置や数は、全てのカード１０で同一ではなく、カード１０の種類ごとに異なるので、カード基材１１の形成と同時に属性情報記録部１２を形成することはできず、カード基材１１の形成後にカード１０の種類に合わせて穴１２ａを開ける方法が採られている。
【０００４】
図１２は、カード１０の属性情報記録部１２の読み取り方法を説明するための図である。カード１０の読み取り装置内には、光源４１及び受光センサ４２が設けられている。カード１０が読み取り装置に挿入されると、カード１０の属性情報記録部１２は、光源４１と受光センサ４２との間に配置される。そして、光源４１から属性情報記録部１２に光が照射されると、属性情報記録部１２のうち穴１２ａを通過した光のみが受光センサ４２に入射し、他の領域に入射した光は反射する。読み取り装置は、この入射光のパターンによって属性情報記録部１２を認識して、カード１０の属性を特定する。
【０００５】
しかし、前述の従来のカード１０では、属性情報記録部１２を設けるために、カード基材１１に穴１２ａを開けるが、穴１２ａを開けた後のカード基材１１の小片がゴミとなり、それを回収する必要があった。また、製造上、穴開け工程が必要となり、カード１０のコストが高くなるという問題があった。さらに、穴１２ａの位置精度を確保することが困難であった。
【０００６】
さらにまた、穴１２ａを開けたときにその外縁部に切りくずが分離しないで残る場合があり、これが読み取り装置内に混入するおそれがあった。
【特許文献１】特開平２−１７５１９３号公報
【発明の開示】
【発明が解決しようとする課題】
【０００７】
本発明の課題は、カードのコストを高くすることなく、情報記録部の精度の向上を図り、カードの品質を高めることにある。
【課題を解決するための手段】
【０００８】
上述の課題を解決するために、請求項１の発明は、光が透過可能な透明又は半透明のカード基材と、前記カード基材上の所定位置に設けられ、光の透過率が前記カード基材より低い所定のパターンから構成された機械読み取り可能な情報記録部とを備えるカードにおいて、前記カードは、試料を検査するためのものであり、前記カード基材上の中央部に光が透過不能な不透明の領域として設けられ、試料を検査するための検査領域と、前記検査領域上に設けられ、試料を一定位置に載置しておくための試料載置部とを備え、前記情報記録部は、そのパターンにより検査情報を示すことを特徴とするカードである。
【０００９】
請求項２の発明は、請求項１に記載の検査カードにおいて、前記試料載置部内には、検査のための試薬が設けられていることを特徴とするカードである。
【００１０】
請求項１の発明においては、情報記録部のパターンを認識することにより、検査項目等の検査情報を認識することができる。
請求項２の発明においては、検査時に試料載置部に試料を設けることで、試料と試薬とが混合される。
【発明の効果】
【００１１】
請求項１の発明によれば、本発明のカードを試料の検査カードとして使用することができる。また、カード基材のきりくずが検査時に試料内に混入するおそれがない。
請求項２の発明によれば、検査前に試薬をカードに設けておくことができる。
【発明を実施するための最良の形態】
【００１２】
以下、図面等を参照して、本発明の実施例をあげて、さらに詳しく説明する。
【実施例１】
【００１３】
図１は、本発明によるカードの実施例１を示す平面図である。図２は、図１のＡ−Ａ断面を示す断面図である。図１のカード２０において、カード基材２１は、光が透過可能な透明又は半透明のＰＥＴ等の合成樹脂から形成されている。カード基材２１の厚みは、約２５０μｍ程度である。
【００１４】
カード基材２１上の所定の１辺近傍には、シルク印刷等された属性情報記録部２２が設けられている。属性情報記録部２２は、光が透過不能な不透明領域２２ａ（図中、斜線部領域）が所定のパターンで配置されることにより形成されている。そして、属性情報記録部２２は、このパターンによりカード２０の属性を示している。この属性情報記録部２２は、機械読み取りが可能である。このように属性情報記録部２２を設ければ、位置精度を確保しやすく、同じパターンのカード２０を精度良く製造することができる。また、従来のものと比較して、切りくずの発生の心配がなくなる。
【００１５】
図３は、カード２０の属性情報記録部２２の読み取りを説明するための図である。カード２０の読み取り装置内には、光源３１及び受光センサ３２が設けられている。カード２０が読み取り装置に挿入されると、カード２０の属性情報記録部２２は、光源３１と受光センサ３２との間に配置される。
【００１６】
そして、光源３１から属性情報記録部２２に光が照射されると、属性情報記録部２２のうち不透明領域２２ａが設けられていない領域に入射した光のみがカード基材２１を透過する。そして、この光が受光センサ３２に入射する。すなわち、属性情報記録部２２の不透明領域２２ａに入射した光は、その領域で反射され、受光センサ３２には入射しない。読み取り装置は、この入射光のパターンによって属性情報記録部２２を認識して、カード２０の属性を特定する。
【００１７】
なお、実施例において、受光センサ３２として可視光センサを使用したときは、カード基材２１の透過濃度は、ラッテンＮｏ．１０６フィルターを用いて０．１以下であり、属性情報記録部２２の不透明領域２２ａの透過濃度は、ラッテンＮｏ．１０６フィルターを用いて２．０以上であった。また、受光センサ３２として赤外センサを使用したときは、カード基材２１の透過濃度は８５％以上であり、属性情報記録部２２の不透明領域２２ａの透過濃度は５％以下であった。
【００１８】
次に、カード２０の使用方法について説明する。図４は、入場券として用いられるカード２０の複数種類の属性情報記録部２２を示す図である。図中（ａ）〜（ｃ）に示すように、カード２０の種類は、大人用、子供用及びフリーパス用に分けられており、それぞれの属性情報記録部２２のパターンが異なっている。
【００１９】
図５は、入場券としてのカード２０が読み取られるときのゲートを示す図である。ゲート５０には、カード２０の挿入口５１と、ゲート５０の通過を制御する開閉部５２とが設けられている。入場者は、カード２０を挿入口５１から挿入する。ゲート５０内には、図３に示した読み取り装置が設けられており、カード２０の属性情報記録部２２が読み取られる。そして、その読み取り結果からカード２０の真偽や種別が判別され、開閉部５２の動作が制御される。
図６は、ゲート５０の開閉部５２の制御の例を示す図である。カード２０の属性情報記録部２２が読み取られた結果、入場可能と判別されたときは、開閉部５２が倒れ、ゲート５０を通過することができるようになる。一方、入場不可能と判別されたときは、開閉部５２は倒れず、ゲート５０を通過することができない。
【実施例２】
【００２０】
図７は、本発明によるカードの実施例２を示す平面図であり、図８は、図７のＡ−Ａ断面を示す断面図である。図７のカード２０Ａは、血液検査用として使用されるカードである。カード２０Ａにおいて、カード基材２１は、実施例１と同様であるので、説明を省略する。また、属性情報記録部２２は、実施例１と同様に設けられており、不透明領域２２ａのパターンにより検査項目その他の検査情報を示している。
【００２１】
カード基材２１の略中央領域には、検査領域部２３が設けられている。検査領域部２３は、カード基材２１上に印刷等を施し、不透明領域を設けたものである。さらに、検査領域部２３上には、滴下された血液を溜めておくための透明な血液溜め部２４が設けられている。この血液溜め部２４内には、血液と混合させるための試薬が予め設けられている。したがって、検査時に改めて試薬を入れる必要はない。
【００２２】
カード２０Ａの使用者は、血液溜め部２４内に、検査すべき血液を滴下する。これにより、血液と試薬とが混合される。そして、図９に示すように、使用者は、このカード２０Ａを検査機３０Ａに挿入する。検査機３０Ａ内には、図３に示した読み取り装置が設けられており、属性情報記録部２２が読み取られる。これにより、カード２０Ａの検査項目その他の検査情報が特定される。
【００２３】
次に、検査機３０Ａによりその血液の所定の検査が行われる。検査内容としては、例えば血液凝固検査があげられる。試薬に血液が添加されると、試薬中に含まれる磁性粒子を規則的に動かして、溶解し始めた試薬と血液とを攪拌する。進行する凝固の状態に伴い、磁性粒子の動きが変化する。この磁性粒子の動きの変化を散乱光の変化量として捉え、凝固時間を計測する。
【００２４】
以上、本発明の一実施例について説明したが、本発明は、上述した実施例に限定されることなく、均等の範囲内で以下のような種々の変形が可能である。
（１）属性情報記録部２２を読み取るための光源３１から出射される光は、紫外線、赤外線、近赤外線、可視光、不可視光等、いずれの波長の光を用いても良く、さらには２種類以上の光を用いても良い。
（２）カード２０，２０Ａには、ストライプ状に又は一方の面の略全領域に磁気記録部を設けても良く、また、ＩＣ記録部、光記録部を設けても良い。さらには、これらを組み合わせて設けても良い。
【００２５】
（３）また、実施例２において、試料は、実施例では血液を例にあげたが、この他に、動物の体から分離又は排出されたものとしては、糞尿、唾液その他の体液、皮膚又は毛髪等があげられる。さらに、これらに限らず、自然界に存在する海水等であっても良い。さらに試料は、液体に限られず、粉状体、粒状体、流動体、半流動体又は粘体等であっても良い。
（４）さらに、本発明を適用可能なカードとその機械読み取り可能な情報として、乗車券とその大人と子供との別、区間若しくは金額、プリペイドカードとその券種（１万円券か３千円券か等）、又は商品券とその金額、等があげられる。
【図面の簡単な説明】
【００２６】
【図１】本発明によるカードの実施例１を示す平面図である。
【図２】図１のＡ−Ａ断面を示す断面図である。
【図３】カード２０の属性情報記録部２２の読み取りを説明するための図である。
【図４】入場券として用いられるカード２０の複数種類の属性情報記録部２２を示す図である。
【図５】入場券としてのカード２０が読み取られるときのゲートを示す図である。
【図６】ゲート５０の開閉部５２の制御の例を示す図である。
【図７】本発明によるカードの実施例２を示す平面図である。
【図８】図７のＡ−Ａ断面を示す断面図である。
【図９】カード２０Ａとその検査機３０Ａを示す図である。
【図１０】従来のカードの一例を示す平面図である。
【図１１】図１０のＡ−Ａ断面を示す断面図である。
【図１２】カード１０の属性情報記録部１２の読み取り方法を説明するための図である。
【符号の説明】
【００２７】
２０ カード
２１ カード基材
２２ 属性情報記録部
２２ａ 不透明領域
３１ 光源
３２ 受光センサ
【図１】
2006040306.tif 000003
【図２】
2006040306.tif 000004
【図３】
2006040306.tif 000005
【図４】
2006040306.tif 000006
【図５】
2006040306.tif 000007
【図６】
2006040306.tif 000008
【図７】
2006040306.tif 000009
【図８】
2006040306.tif 000010
【図９】
2006040306.tif 000011
【図１０】
2006040306.tif 000012
【図１１】
2006040306.tif 000013
【図１２】
2006040306.tif 000014